(57)【特許請求の範囲】
【請求項１】
固定網に接続される主装置と、該主装置及び携帯網に接続可能であるとともに、前記固定網及び携帯網の何れに対しても同一の呼出番号で接続可能な携帯端末と、この携帯端末に関する前記固定網又は前記携帯網から通知された位置登録状況に応じて、前記主装置又は前記携帯端末へ着信通知させる管理装置とから構成される電話システムであって、
前記携帯端末は、前記携帯網からの着信通知に応じて、前記主装置への着信転送要求を前記管理装置に送信する転送要求送信手段を有し、
前記管理装置は、前記着信転送要求を受けると、該着信を固定網を介して前記同一の呼出番号へ転送するよう指示する転送指示手段を有する
ことを特徴とする電話システム。
【請求項２】
請求項１に記載された電話システムであって、
前記主装置は、
着信検出した呼出番号を特定する呼出番号特定手段と、
主装置に収容された前記携帯端末を記憶する収容携帯端末記憶手段と、
前記呼出番号特定手段により特定した呼出番号と対応付けて通話内容を記録する記録手段と、
着信時に、前記呼出番号特定手段により特定した呼出番号と対応付けられた前記携帯端末が前記収容携帯端末記憶手段に記憶されていないと、前記着信に応答し、通話内容を前記記録手段に記録させる収容端末管理手段と
を備えたことを特徴とする電話システム。
【請求項３】
固定網に接続される主装置と、該主装置及び携帯網に接続可能であるとともに、前記固定網及び携帯網の何れに対しても同一の呼出番号で接続可能な携帯端末と、この携帯端末に関する前記固定網又は前記携帯網から通知された位置登録状況に応じて、前記主装置又は前記携帯端末へ着信通知させる管理装置とから構成される電話システムにおける管理装置であって、
前記携帯網からの着信通知に応じて、前記携帯端末から前記主装置への着信転送要求を受けると、前記着信を固定網を介して前記同一の呼出番号へ転送するよう指示する転送指示手段を備える
ことを特徴とする管理装置。
【発明の詳細な説明】
【技術分野】
【０００１】
本発明は、電話システムおよび管理装置に関し、特に転送制御技術に関する。
【背景技術】
【０００２】
従来より、電話システムにおける着信転送技術には、着信先において着信回線とは別の回線を用いて、着信先から再発信することにより、間接的に折り返し転送するものがあった。
また、交換機等に予め転送先の呼出番号を登録しておき、その転送先に着信を交換機等から直接転送するものがある。間接的に折り返し転送するものについては、交換機等から直接転送する着信転送技術については、例えば、着信を検出すると予め設定してある出向き先の呼出番号に自動ダイヤルし、その着信を転送する技術（特許文献１）が開示されている。
【０００３】
【特許文献１】特開平１−２０９８６０号公報
【発明の開示】
【発明が解決しようとする課題】
【０００４】
しかしながら、従来技術によれば着信転送を行う場合、着信先として指定された呼出番号とは別の呼出番号を、転送先呼出番号として必要であった。また、間接的に折り返し転送を行う場合、着信した回線の他に転送用の回線を利用する必要があるため、少なくとも２回線分の利用料金がかかってしまう。また、交換機等から直接転送を行う場合、交換機等に予め転送先を登録しておかなければならず、利用者にとってこの転送登録は煩わしい。
【０００５】
そこで本発明は、着信先と転送先それぞれに別の呼出番号を用いることなく、また、交換機等に予め転送先を登録することなく、交換機等から直接転送する電話システムおよび管理装置を提供することを目的とする。
【課題を解決するための手段】
【０００６】
本発明にかかる電話システムは、固定網に接続される主装置と、該主装置及び携帯網に接続可能であるとともに、前記固定網及び携帯網の何れに対しても同一の呼出番号で接続可能な携帯端末と、この携帯端末に関する前記固定網又は前記携帯網から通知された位置登録状況に応じて、前記主装置又は前記携帯端末へ着信通知させる管理装置とから構成される電話システムであって、前記携帯端末は、前記携帯網からの着信通知に応じて、前記主装置への着信転送要求を前記管理装置に送信する転送要求送信手段を有し、前記管理装置は、前記着信転送要求を受けると、該着信を固定網を介して前記同一の呼出番号へ転送するよう指示する転送指示手段を有することを特徴とする。
【０００７】
ここで、前記主装置は、着信検出した呼出番号を特定する呼出番号特定手段と、主装置に収容された前記携帯端末を記憶する収容携帯端末記憶手段と、前記呼出番号特定手段により特定した呼出番号と対応付けて通話内容を記録する記録手段と、着信時に、前記呼出番号特定手段により特定した呼出番号と対応付けられた前記携帯端末が前記収容携帯端末記憶手段に記憶されていないと、前記着信に応答し、通話内容を前記記録手段に記録させる収容端末管理手段とを備えてもよい。
【０００８】
また、本発明に係る管理装置は、固定網に接続される主装置と、該主装置及び携帯網に接続可能であるとともに、前記固定網及び携帯網の何れに対しても同一の呼出番号で接続可能な携帯端末と、この携帯端末に関する前記固定網又は前記携帯網から通知された位置登録状況に応じて、前記主装置又は前記携帯端末へ着信通知させる管理装置とから構成される電話システムにおける管理装置であって、前記携帯網からの着信通知に応じて、前記携帯端末から前記主装置への着信転送要求を受けると、前記着信を固定網を介して前記同一の呼出番号へ転送するよう指示する転送指示手段を備えることを特徴とする。
【発明の効果】
【０００９】
本発明によれば、固定網や携帯網に関わらず共通の呼出番号で通話が行える電話システムにおいて、着信先と転送先それぞれに別の呼出番号を用いることなく、また、交換機等に予め転送先を登録することなく、交換機等から直接転送することができる。
【発明を実施するための最良の形態】
【００１０】
以下、本発明の実施の形態について図面を参照しながら説明する。
図１は、本発明の実施の形態にかかる電話システム１の構成図である。
図１に示すように、電話システム１は、固定網６および携帯網７と制御回線１１を介して接続された管理装置２と、任意の呼出番号、ここでは“０６０−１２３４−５６７８”に対応付けられた携帯端末４と、この携帯端末４と同じ呼出番号に対応付けられた主装置３とから構成される。
また、携帯端末４ａは、携帯端末４が主装置３に収容された状況を、携帯端末４ｂは、携帯端末４が携帯網７と接続している状況をそれぞれ示している。携帯端末４は、携帯網７において圏外又は電源オフの状況以外は、携帯端末４ａ又は携帯端末４ｂのどちらかの状況になっている。そして、携帯端末４は、設定によらなければ、携帯端末４ｂに優先して、携帯端末４ａとなる。
【００１１】
固定網６は、例えばＩＰ網、ＩＳＤＮやアナログ網等の通信網である。また、携帯網７は、例えば携帯電話網、ＰＨＳや無線ＬＡＮ等の通信網である。固定網６と携帯網７との間は、例えばＬＡＮ回線等である接続回線１２によって網間接続されている。固定網６および携帯網７は、この接続回線１２を介して、互いの網に接続している携帯端末等の電話端末に発信することができる。また、これら通信網には、固有の呼出番号と対応付けられた、従来の電話端末が接続されていてもよく、その一例として、ここでは、固定網６に固定回線８を介して電話端末５が接続されている。
なお、図１には、説明の便宜上、主装置３および携帯端末４に対応付けられた呼出番号“０６０−１２３４−５６７８”しか図示されていないが、１つ以上の電話端末と対応付けられた共通の呼出番号が複数存在してもよい。
【００１２】
以下に、電話システム１を構成する管理装置２、主装置３および携帯端末４をそれぞれ図面を参照しながら順に説明する。
図２は、管理装置２の構成を示すブロック図である。
管理装置２は、制御回線１１を介して固定網６および携帯網７とに接続されている。
ここで、制御回線１１は、例えばＬＡＮ回線等の回線であり、固定網６および携帯網７と管理装置２との間におけるデータの送受信用の回線である。固定網６および携帯網７は、この制御回線１１を介して、携帯端末４に着信通知するための指示を管理装置２に要求する。そして、管理装置２からの指示に基づき、携帯端末４に対し着信通知を行う。
管理装置２の内部構造は、制御回線１１を介して固定網６および携帯網７と接続するインターフェースである通信網Ｉ／Ｆ（ＩｎｔｅｒＦａｃｅ）２１０と、後述する管理装置２の各種動作を実現するプログラムや各種データを記憶する記憶部２２０と、各機能部を制御する制御部２３０とから構成される。
【００１３】
記憶部２２０は、電話システム１において各携帯端末に対し着信通知を行える通信網を記憶する位置登録テーブル２２１を備えている。この位置登録は、携帯端末を収容する各網から行えばよく、本実施の形態では、例えば、携帯端末４が主装置３に収容されて携帯端末４ａとなったとき、主装置３によって、携帯端末４に対し着信通知可能な通信網は“固定網”と登録される。また、携帯端末４が携帯網７に収容されて携帯端末４ｂとなったとき、携帯網７によって携帯端末４に対し着信通知可能な通信網は“携帯網”と位置登録される。
【００１４】
図３は、位置登録テーブル２２１のデータ構造を示す一例である。
この図３は、説明の便宜上、携帯端末４の位置登録状況のみを示している。図３に示すように、位置登録テーブル２２１は、呼出番号に位置登録された内容が記憶されている。
例えば、（ａ）は、呼出番号“０６０−１２３４−５６７８”と対応付けられた携帯端末４の位置登録が“無”、つまり位置登録されていないことを示している。この場合、携帯端末４は、現在、固定網６にも携帯網７にも接続されていない状況であることがわかる。（ｂ）は、携帯端末４の位置登録が、“固定網”と登録されたことを示している。この場合、携帯端末４は、現在、固定網６に接続されている状況、つまり携帯端末４ａであることがわかる。（ｃ）は、携帯端末４の位置登録が、“携帯網”と位置登録されたことを示している。この場合、携帯端末４は、現在、携帯網７に接続されている状況、つまり携帯端末４ｂであることがわかる。
【００１５】
制御部２３０は、着信処理制御部２３１と、位置登録テーブル制御部２３２と、転送指示制御部２３３と、転送情報通知制御部２３４とを備えている。
着信処理制御部２３１は、制御回線１１を介して固定網６又は携帯網７から特定の携帯端末に着信通知するための指示の要求を受けると、位置登録テーブル２２１を参照して、この呼出番号と対応する位置登録の内容を指示する機能部である。例えば、着信先の呼出番号“０６０−１２３４−５６７８”の要求を受けると、着信処理制御部２３１は、図３の（ａ）の場合には“圏外又は電源オフ”を、（ｂ）の場合には“固定網”を、（ｃ）の場合には“携帯網”をそれぞれ指示する。指示を受けた発側の通信網は、図３の（ａ）の場合には“圏外又は電源オフ”を発信電話端末に通知し、（ｂ）（ｃ）の場合には指示された通信網を介して携帯端末４に発信する。
【００１６】
位置登録テーブル制御部２３２は、位置登録テーブル２２１を制御する機能部である。
例えば、図３の（ａ）の状況において、固定網６から位置登録されると、位置登録テーブル制御部２３２は、位置登録テーブル２２１を（ｂ）に変更する。次に、携帯網７から位置登録されると、位置登録テーブル制御部２３２は、位置登録テーブル２２１を（ｃ）に変更する。次に、携帯端末が圏外又は電源オフの状態を示す情報を携帯網７から受信すると、位置登録テーブル制御部２３２は、位置登録テーブル２２１を（ａ）に変更する。また、例えば、（ａ）の状況において、携帯網７から位置登録されると、位置登録テーブル制御部２３２は、位置登録テーブル２２１を（ｃ）に変更する。次に、固定網６から位置登録されると、位置登録テーブル制御部２３２は、位置登録テーブル２２１を（ｂ）に変更する。次に、携帯端末が圏外又は電源オフの状況を示す情報を固定網６から受信すると、位置登録テーブル制御部２３２は、位置登録テーブル２２１を（ａ）に変更する。
【００１７】
転送指示制御部２３３は、本発明における転送指示手段に相当し、着信転送要求を受けると、その着信を固定網６を介して共通の呼出番号へ転送するよう指示する機能部である。
転送情報通知制御部２３４は、着信転送要求による着信転送であることを示す転送情報を主装置３に通知する機能部である。
制御部２３０は、管理装置２の各種動作を実現するプログラムや各種データが記憶されたメモリである記憶部２２０と、ＣＰＵ（Ｃｅｎｔｒａｌ  Ｐｒｏｃｅｓｓｉｎｇ  Ｕｎｉｔ）と主記憶装置（図示せず）などを備え、記憶部２２０のプログラムを読み込んで実行することにより、上記ハードウェアが協働して上述した機能部を実現する。  
【００１８】
次に、主装置３について図を参照しながら説明する。
図４は、主装置３の構成を示すブロック図である。
主装置３は、固定回線９を介して固定網６と、無線回線１３を介して携帯端末４ａとそれぞれ接続されている。
主装置３の内部構造は、固定回線９を介して固定網６と接続するインターフェースである固定回線Ｉ／Ｆ３１０と、固定回線Ｉ／Ｆ３１０と無線回線Ｉ／Ｆ３３０とを接続するスイッチ３２０と、例えばブルートゥース（登録商標：Ｂｌｕｅｔｏｏｔｈ）や無線ＬＡＮ等の無線回線１３を介して携帯端末４ａと接続するインターフェースである無線回線Ｉ／Ｆ３３０と、主装置３の各種動作を実現するプログラムや各種データが記憶されたメモリである記憶部３４０と、各機能部を制御する機能部である制御部３５０とから構成される。
【００１９】
記憶部３４０は、収容携帯端末テーブル３４１と、記録管理テーブル３４２とを備えている。
収容携帯端末テーブル３４１は、本発明における収容携帯端末記憶手段に相当し、主装置３に収容された携帯端末の呼出番号を記憶する機能部である。
図５は、収容携帯端末テーブル３４１のデータ構造の一例を示す図である。
収容携帯端末テーブル３４１は、収容可能な呼出番号である管理呼出番号毎に現在の主装置３の収容状態を示す収容情報と対応付けられており、例えば、管理呼出番号“０６０−９８７６−５４３２”は、収容情報“収容済み”なので、現在、主装置３は、この管理呼出番号と対応付けられた携帯端末を収容しているを示している。また、管理呼出番号“０６０−１２３４−５６７８”は、収容情報“未収容”なので、現在、主装置３は、携帯端末４を収容していないことを示している。
【００２０】
また、記憶部３４０は、いわゆる留守番電話録音が行われた場合、着信した通話内容を録音データとして記憶するとともに、この録音データに対し、一意の識別子と、後述する呼出番号特定制御部３５１が取得した呼出番号と、管理装置２の転送情報通知制御部２３４から通知された転送情報とを関連づけた記録情報を記憶する記録管理テーブル３４２を備えることにより、本発明における記録手段に相当して機能する。
記録管理テーブル３４２は、例えば、図６に示すように、１つの録音データに対して一意に割り当てられた識別子“０００１”と、呼出番号“０６０−９８７６−５４３２”および転送情報の有無“無”とを対応付けて記憶している。これは、識別子“０００１”の録音データは、呼出番号“０６０−９８７６−５４３２”の携帯端末に対するものであること、および、この着信は着信転送によるものではないことを示している。同様に、識別子“０００２”に対しては、呼出番号“０６０−１２３４−５６７８”および転送情報の有無“有”とが対応付けて記憶されている。これは、識別子“０００２”の録音データは、呼出番号“０６０−１２３４−５６７８”の携帯端末に対するものであること、および、この着信は着信転送によるものであることを示している。
なお、記録情報として発信元の呼出番号を示す発信番号や、通話内容を記録した日時を示す記録日時、または、この録音データの存在を呼出番号の携帯端末に通知したか否かを示す通知フラグ等をさらに加えてもよい。
【００２１】
制御部３５０は、呼出番号特定制御部３５１と、収容端末管理制御部３５２と、記録判定制御部３５３と、記録情報通知制御部３５４とを備えている。
呼出番号特定制御部３５１は、本発明における呼出番号特定手段に相当し、着信検出した呼出番号を特定する機能部である。
例えば、収容携帯端末テーブル３４１に記憶された管理呼出番号毎に固定回線９が対応付けられている場合、呼出番号特定制御部３５１は、着信した固定回線９と対応付けられた呼出番号を着信先の呼出番号として特定することができる。また、固定網６から送信された着信先の呼出番号を受信することで、着信先の呼出番号を特定してもよい。
【００２２】
収容端末管理制御部３５２は、本発明における収容端末管理手段に相当し、着信時に、呼出番号特定制御部３５１が取得した呼出番号と対応付けられた携帯端末が主装置３に収容されているか否かに応じて着信処理を行う機能部である。
収容端末管理制御部３５２は、着信時に、呼出番号特定制御部３５１により特定した呼出番号と対応付けられた携帯端末が収容携帯端末テーブル３４１に記憶されている場合は、この着信をこの呼出番号に対応付けられた携帯端末に接続し、着信時に、呼出番号特定制御部３５１により特定した呼出番号と対応付けられた携帯端末が収容携帯端末テーブル３４１に記憶されていない携帯端末への着信の場合には、この着信に応答し、記憶部３４０に通話内容を記録させる機能部である。そして、収容端末管理制御部３５２は、記憶部３４０に記録させた通話内容の記憶情報を記録管理テーブル３４２に記憶させる。
【００２３】
さらに、収容端末管理制御部３５２は、無線回線Ｉ／Ｆ３３０を介して、収容携帯端末テーブル３４１の収容情報が“未収容”である管理呼出番号と対応付けられた携帯端末を収容すると、管理装置２に対して、この管理呼出番号の収容情報を“収容済み”に変更する。そして、収容端末管理制御部３５２は、この管理呼出番号への着信通知を可能とする通信網を“固定網”とする位置登録を行う。また、収容端末管理制御部３５２は、収容情報“収容済み”の管理呼出番号と対応付けられた携帯端末が収容からはずれると、この管理呼出番号の収容情報を“未収容”に変更する。そして、収容端末管理制御部３５２は、この管理呼出番号における携帯端末が圏外又は電源オフであることを示す情報を管理装置２に送信する。また、収容端末管理制御部３５２は、収容した携帯端末からの呼制御に対し、固定網回線Ｉ／Ｆ３１０、スイッチ３２０および無線回線Ｉ／Ｆ３３０を介して、固定網６と携帯端末４ａとを接続する。
【００２４】
記録判定制御部３５３は、主装置に新たに収容された携帯端末を検出すると、この携帯端末に対応付けられた呼出番号に対応する通話内容が記憶部３４０に記憶されているか否かを判定する機能部である。具体的には、記録判定制御部３５３は、収容携帯端末テーブル３４１の収容情報が“収容済み”と変更された管理呼出番号を検出すると、この管理呼出番号に対応する通話内容が記録管理テーブル３４２に管理されているか否かを判定する。
【００２５】
記録情報通知制御部３５４は、記録判定制御部３５３の判定結果を対応する携帯端末に通知する機能部である。
制御部３５０は、主装置３の各種動作を実現するプログラムや各種データが記憶されたメモリである記憶部３４０と、ＣＰＵと主記憶装置（図示せず）などを備え、記憶部３４０のプログラムを読み込んで実行することにより、上記ハードウェアが協働して上述した機能部を実現する。  
【００２６】
次に、携帯端末４について図面を参照しながら説明する。
図７は、携帯端末４の構成を示すブロック図である。
携帯端末４は、携帯回線１０を介して携帯網７と接続するインターフェースである携帯回線Ｉ／Ｆ４１０と、無線回線１３を介して主装置と接続するインターフェースである無線回線Ｉ／Ｆ４２０と、例えばボタン等の入力手段である入力部４３０と、音声を入力するマイク４４０と、例えばディスプレイ等の表示手段である表示部４５０と、携帯端末４の各種動作を実現するプログラムや各種データが記憶されたメモリである記憶部４７０と、各機能部を制御する機能部である制御部４８０とから構成される。
【００２７】
制御部４８０は、電話制御部４８１と、収容動作制御部４８２と、着信転送要求制御部４８３と、記録情報表示制御部４８４とを備えている。
電話制御部４８１は、携帯端末４が携帯回線Ｉ／Ｆ４１０を介して携帯網７と接続した場合、携帯網７と各種呼制御メッセージをやりとりし、携帯網７を用いた携帯端末４ｂとしての発信や着信動作を制御し、また、携帯端末４が無線回線Ｉ／Ｆ４２０を介して主装置３と接続した場合、主装置３と各種呼制御メッセージをやりとりし、固定網６を用いた携帯端末４ａとしての発信や着信動作を制御する機能部である。
収容動作制御部４８２は、無線回線Ｉ／Ｆ４２０を介して主装置３と接続すると、携帯網７との接続を終了し、無線回線Ｉ／Ｆ４２０を介して主装置３と未接続（未収容）となると、携帯網７との接続を開始する機能部である。
【００２８】
着信転送要求制御部４８３は、本発明における転送要求送信手段に相当し、携帯網６からの着信通知に応じて、主装置３への着信転送要求を管理装置２に送信する機能部である。着信転送要求制御部４８３は、利用者による入力部４３０の操作設定、着信に応答しない時間または、例えばマナーモード等の携帯端末の各種設定等に応じて動作を開始する（以下、着信転送要求制御部４８３が動作を開始した状態を「転送モード」という。）。
携帯端末４ｂが転送モードでない場合、利用者は着信通知に応答し、通話の状態とすることができる。
一方、携帯端末４ｂが転送モードの場合、自動的に、着信通知に応じて、携帯網７を介して、管理装置２に着信転送要求を行う。
制御部４８０は、携帯端末４の各種動作を実現するプログラムや各種データが記憶されたメモリである記憶部４７０と、ＣＰＵと主記憶装置（図示せず）などを備え、記憶部４７０のプログラムを読み込んで実行することにより、上記ハードウェアが協働して上述した機能部を実現する。  
【００２９】
次に、本発明の実施の形態にかかる電話システム１の動作について図面を参照しながら説明する。
ここでは、電話端末５が、携帯端末４ｂに発信したときに、携帯端末４ｂが転送モードである場合を例に説明する。
図８は、本発明の実施の形態にかかる電話システム１のシーケンス図である。
携帯端末４が携帯網７と接続する（Ｓ１０１）と、携帯網７は、管理装置２に位置登録を行う（Ｓ１０２）。位置登録を受けた管理装置２は、位置登録テーブル２２１を変更（Ｓ１０３）する。Ｓ１０１〜Ｓ１０３の動作により、位置登録テーブル２２１は、携帯端末４は、現在、携帯網７に接続されている状況を示す図３の（ｃ）となる。
その後、電話端末５が固定網６を介して呼出番号“０６０−１２３４−５６７８”へ発信する（Ｓ１０４）と、固定網６は、管理装置２に呼出番号“０６０−１２３４−５６７８”に着信通知するための指示を要求する（Ｓ１０５）。この要求を受けた管理装置２は、位置登録テーブル２２１（図３の（ｃ））に基づき、通信網“携帯網”から携帯端末４ｂへと着信を通知させる指示を固定網６に行う（Ｓ１０６）。
【００３０】
指示を受けた固定網６は、接続回線１２および携帯網７を介して携帯端末４ｂに着信通知する（Ｓ１０７）。
ここで携帯端末４ｂが、例えば利用者による入力部４３０の操作設定や、着信に応答しない時間や、マナーモード等の携帯端末の各種設定等に応じて、転送モードとなった場合、着信通知に応答することなく、自動的に、着信転送要求を管理装置２に送信する（Ｓ１０８）。
この着信転送要求を受信した管理装置２は、固定網６に対し、接続回線１２および携帯網７を介した携帯端末４ｂへの着信通知を終了させるとともに、固定網６から主装置３に着信通知させる指示と、転送情報を主装置３に通知する指示とを送信する（Ｓ１１０）。
これらの指示を受けた固定網６は、呼出番号“０６０−１２３４−５６７８”と対応付けられた携帯端末４ｂに対する着信通知を終了し、共通の呼出番号“０６０−１２３４−５６７８”と対応付けられた主装置３に対し着信通知を行うとともに、転送情報を主装置３に通知する（Ｓ１１１）。
【００３１】
なお、携帯網７と接続された電話端末から呼出番号“０６０−１２３４−５６７８”へ発信する場合、携帯網７は、管理装置２に呼出番号“０６０−１２３４−５６７８”に着信通知するための指示を要求する。この要求を受けた管理装置２は、位置登録テーブル２２１（図３の（ｃ））に基づき、通信網“携帯網”から携帯端末４ｂへと着信を通知させる指示を固定網６に行う。指示を受けた携帯網７は、携帯端末４ｂに着信通知する。ここで携帯端末４ｂが転送モードの場合、携帯端末４ｂは、着信通知に応答することなく、自動的に、着信転送要求を管理装置２に送信する。着信転送要求を受信した管理装置２は、接続回線１２および固定網６を介して携帯網７から主装置３に着信通知させる指示と転送情報を主装置３に通知する指示とを携帯網７に送信する。
【００３２】
このようにして固定網６から着信通知を受けた主装置３は、この着信に応答し（Ｓ１１２）、電話端末５と通話の状態となる（Ｓ１１３）。
以上の動作手順により、固定網６や携帯網７に関わらず共通の呼出番号で通話が行える電話システムにおいて、携帯端末に転送設定するだけで、着信時に管理装置２から電話網へ転送指示を行うので、この着信を携帯端末から主装置へ直接転送することができる。  
【００３３】
次に、Ｓ１１１からＳ１１３までの主装置３の動作手順について図を参照しながら説明する。
図９は、主装置３の着信動作手順を示すフローチャートである。
主装置３は、着信を受けると着信先の呼出番号“０６０−１２３４−５６７８”を取得する（Ｓ２０１）。そして、主装置３は、収容携帯端末テーブル３４１に基づいてこの呼出番号に対応する携帯端末４が収容済みか未収容かを判断する（Ｓ２０２）。
携帯端末４が収容済みと判断した場合（Ｓ２０２：ＹＥＳ）、主装置３は、無線回線４２０を介して携帯端末４ａに着信通知する（Ｓ２０３）。着信通知された携帯端末４ａは、この着信通知に応答（Ｓ１１１）し、通話の状態となる（Ｓ１１２）。
【００３４】
一方、携帯端末４が“未収容”と判断した場合（Ｓ２０２：ＮＯ）、主装置３は、着信通知に応答（Ｓ１１１）して通話の状態とし（Ｓ１１２）、この通話内容を識別子と対応付けて記憶部３４０に記録し、この識別子に特定した呼出番号“０６０−１２３４−５６７８”および固定網６から通知された転送情報を対応付けて記録管理テーブル３４２に記憶させる（Ｓ２０４）。
以上の動作手順により、収容携帯端末テーブル３４１における管理呼出番号に対応した呼出番号への着信通知があった場合、主装置３がその呼出番号と対応した携帯端末を収容していなくても、着信通知に応答し、通話内容を記憶部３４０に記録することができるので、利用者は、都合のよいときに、その通話内容を聴くことができる。また、記録された通話内容には転送情報と対応付けられているので、利用者は、この転送情報によって、この記録された通話内容が着信転送による着信通知の応答を記録したものか否かを知ることができる。
【００３５】
次に、Ｓ２０４にて通話が終了した後の主装置３の動作手順について図を参照しながら説明する。
主装置３は、収容携帯端末テーブル３４１の収容情報が“収容済み”と変更された管理呼出番号を検出すると、この管理呼出番号に対応する通話内容が記録管理テーブル３４２に管理されているか否かを判定し、管理されていると判定すると、その判定結果をその携帯端末に通知する記録情報通知を行う。
図１０は、主装置３の記録情報通知の動作手順を示すフローチャートである。
主装置３は、呼出番号“０６０−１２３４−５６７８”に対応付けられた携帯端末４ｂを収容すると、収容携帯端末テーブル３４１の管理呼出番号“０６０−１２３４−５６７８”に対応する収容情報を“収容済み”とし、携帯端末４は、携帯端末４ｂから携帯端末４ａとなる。 そして、記録管理テーブル３４２にこの携帯端末４ａと対応する記録情報があるか否かによって通話内容があるか否かを判断する（Ｓ３０１）。そして、携帯端末４ａと対応する通話内容がある（Ｓ３０１：ＹＥＳ）と、主装置３は、携帯端末４ａと対応する全ての通話内容における記録情報を携帯端末４ａに送信する（Ｓ３０２）。
記録情報を受信した携帯端末４ａは、送られた記録情報を表示部４６０に表示する。
以上の動作手順により、主装置３は、携帯端末を収容すると、記録管理テーブル３４２に記憶された、この携帯端末に対応する録音データの記録情報をこの携帯端末に通知するので、利用者は、録音データがあるか否かを携帯端末の収容後すぐに知ることができる。
【００３６】
したがって、本発明によれば、固定網や携帯網に関わらず共通の呼出番号で通話が行える電話システムにおいて、携帯網からの着信通知に応じて、携帯端末から主装置への着信転送要求を受けると、主装置に対する着信の着信転送を指示する転送指示を発側の通信網に送信するので、着信先と転送先それぞれに別の呼出番号を用いることなく、また、交換機等に予め転送先を登録することなく、交換機等から直接転送することができる。
そして、本発明にかかる電話システム１は、携帯端末と主装置とに共通の呼出番号が対応付けられているので、携帯電話を家の中では固定電話の子機として使えるといったような、移動体通信と有線通信を融合した通信サービスの形態、いわゆるＦＭＣ（Ｆｉｘｅｄ Ｍｏｂｉｌｅ Ｃｏｎｖｅｒｇｅｎｃｅ）において特に有用である。
【００３７】
なお、本実施の形態では、管理装置１は携帯端末４ｂからの着信転送要求に基づき転送するとしたが、携帯網７が携帯端末４ｂの転送モードを検出し、この検出結果に基づき、管理装置１は携帯網７からの転送指示に基づき転送するとしてもよい。
また、携帯端末４ａにおいて、表示部４５０に表示された記録情報を利用者が選択すると、無線回線１３を介して選択された記録情報に対応する通話内容を再生してもよい。さらに、主装置３は、所定の暗証番号を携帯端末４ａに要求し、正しい暗証番号の応答を受けると、選択された記録情報と対応する通話内容を再生するとしてもよい。また、記録情報表示制御部４８４は、通知された記録情報をスピーカ４６０を用いて利用者に通知するようにしてもよい。
【図面の簡単な説明】
【００３８】
【図１】本発明の実施の形態にかかる電話システムの構成図である。
【図２】管理装置の構成を示すブロック図である。
【図３】位置登録テーブルのデータ構造を示す一例である。
【図４】主装置の構成を示すブロック図である。
【図５】収容携帯端末テーブルのデータ構造の一例を示す図である。
【図６】記録管理テーブルのデータ構造の一例を示す図である。
【図７】主装置の構成を示すブロック図である。
【図８】本発明の実施の形態にかかる電話システムのシーケンス図である。
【図９】主装置の着信動作手順を示すフローチャートである。
【図１０】主装置の記録通知動作手順を示すフローチャートである。
【符号の説明】
【００３９】
１…電話システム、２…管理装置、３…主装置、４…携帯端末、５…電話端末、６…固定網、７…携帯網、８、９…固定回線、１０…携帯回線、１１…制御回線、１２…接続回線、１３…無線回線、２１０…通信網Ｉ／Ｆ、２２０…記憶部、２２１…位置登録テーブル、２３０…制御部、２３１…着信処理制御部、２３２…位置登録テーブル制御部、２３３…転送指示制御部、２３４…転送情報通知制御部、３１０…固定回線Ｉ／Ｆ、３２０…スイッチ、３３０…無線回線Ｉ／Ｆ、３４０…記憶部、３４１…収容携帯端末テーブル、３４２…記録管理テーブル、３５０…制御部、３５１…呼出番号特定制御部、３５２…収容端末管理制御部、３５３…記録判定制御部、３５４…記録情報通知制御部、４１０…携帯回線Ｉ／Ｆ、４２０…無線回線Ｉ／Ｆ、４３０…入力部、４４０…マイク、４５０…表示部１３０、４６０…スピーカ、４７０…記憶部、４８０…制御部、４８１…電話制御部、４８２…収容動作制御部、４８３…着信転送要求制御部、４８４…記録情報表示制御部。
【図１】
0004765776.tif 000002
【図２】
0004765776.tif 000003
【図３】
0004765776.tif 000004
【図４】
0004765776.tif 000005
【図５】
0004765776.tif 000006
【図６】
0004765776.tif 000007
【図７】
0004765776.tif 000008
【図８】
0004765776.tif 000009
【図９】
0004765776.tif 000010
【図１０】
0004765776.tif 000011